(57)【要約】【課題】遊技盤を交換するとき、遊技盤以外の部材を交換する必要が無く、かつ、遊技盤のスペースを有効に活用できる遊技機を提供すること。【解決手段】遊技機は、本体部２３と前記本体部２３の正面側に取り付けられる遊技盤２５と、前記遊技盤２５を前記本体部２３に固定する遊技盤固定手段４３、４５、４７、４９とを有し、前記遊技盤固定手段４３、４５、４７、４９は、前記遊技盤２５の正面側に当接する当接部材４９と、前記当接部材４９を前記本体部２３に固定する固定部材４３とを備え、前記当接部材４９は、正面側から見たとき、前記当接部材４９の上辺４９ａから内側に入り込む凹部６７を有しており、前記凹部６７において正面側から前記遊技盤２５が視認可能である。【選択図】図５
2008132304.tif 000002
【特許請求の範囲】
【請求項１】
本体部と、
前記本体部の正面側に取り付けられる遊技盤と、
前記遊技盤を前記本体部に固定する遊技盤固定手段と、
を有する遊技機であって、
前記遊技盤固定手段は、前記遊技盤の正面側に当接する当接部材と、前記当接部材を前記本体部に固定する固定部材とを備え、
前記当接部材は、正面側から見たとき、前記当接部材の外周から内側に入り込む凹部、及び／又は、孔部を有しており、
前記凹部及び／又は孔部において正面側から前記遊技盤が視認可能であることを特徴とする遊技機。
【請求項２】
前記遊技盤は、その正面側のうち、前記凹部及び／又は孔部に対応する部分に、許諾証を貼付する許諾証貼付領域を有することを特徴とする請求項１記載の遊技機。
【請求項３】
前記凹部及び／又は孔部に、透明素材から成る透明部材が取り付けられているとともに、
前記透明部材のうち、正面側から見たとき、前記許諾証に記載された許諾番号と重なる部分が、レンズ体であることを特徴とする請求項２記載の遊技機。
【請求項４】
本体部と、
前記本体部の正面側に取り付けられる遊技盤と、
前記遊技盤を前記本体部に固定する遊技盤固定手段と、
を有する遊技機であって、
前記遊技盤固定手段は、前記遊技盤の正面側に当接する当接部材と、前記当接部材を前記本体部に固定する固定部材とを備え、
前記当接部材は、少なくともその一部に、前記遊技盤を視認可能な視認領域を有することを特徴とする遊技機。
【請求項５】
前記遊技盤は、その正面側のうち、前記視認領域に対応する部分に、許諾証を貼付する許諾証貼付領域を有することを特徴とする請求項４記載の遊技機。
【請求項６】
前記視認領域は、透明素材から成るとともに、
前記視認領域のうち、前記許諾証と当接したとき、前記許諾証に記載された許諾番号に対応する部分が、レンズ体であることを特徴とする請求項５記載の遊技機。
【請求項７】
前記遊技盤は切り欠き部を有し、
前記固定部材は、前記切り欠き部において、前記当接部材を前記本体部に固定することを特徴とする請求項１〜６のいずれかに記載の遊技機。
【請求項８】
前記切り欠き部は、前記遊技盤の下端から鉛直方向に延びる溝状のものであるとともに、
前記固定部材は、前記切り欠き部を通して前記遊技盤の正面側に突出するように、前記本体部の正面側に形成された堤状の部材であることを特徴とする請求項７記載の遊技機。
【請求項９】
前記当接部材は、前記固定部材に対し、回動可能に取り付けられていることを特徴とする請求項１〜８のいずれかに記載の遊技機。
【発明の詳細な説明】
【技術分野】
【０００１】
本発明は、パチンコ機等の弾球遊技機に関し、特に、遊技盤を交換可能な遊技盤脱着式の遊技機に関する。
【背景技術】
【０００２】
パチンコ機などの遊技機では、遊技盤を交換可能な遊技盤脱着方式のものが主流である。この遊技盤脱着方式の遊技機において、遊技盤を内枠（本体部）に固定するために、様々な遊技盤固定手段が用いられるが、その遊技盤固定手段のうちの一部は、遊技盤の正面側に露出する。また、遊技盤には、遊技機の業界組合に所属していることを示す許諾証や、特許の許諾証等を、視認可能に貼付する必要がある。
【０００３】
遊技盤の正面に、遊技盤固定手段が占める領域と、許諾証を貼付する領域とをそれぞれ設けると、遊技盤の面積が大きく占有され、遊技領域が狭くなってしまう。この点について、特許第３７２４７２２号公報は、遊技盤固定手段の表面を遮蔽部材で覆い、その遮蔽部材の正面側に許諾証を貼付することにより、遊技盤固定手段が占める領域と、許諾証を貼付する領域とを同一領域とする技術を開示している（特許文献１参照）。
【特許文献１】特許第３７２４７２２号公報
【発明の開示】
【発明が解決しようとする課題】
【０００４】
しかしながら、上記の技術では、遊技盤に固有の許諾証を遮蔽部材に貼付するので、遊技盤を交換するときは、許諾証を貼付した遮蔽部材も一緒に交換しなければならず、不経済であった。
【０００５】
本発明は以上の点に鑑みなされたものであり、遊技盤を交換するとき、遊技盤以外の部材を交換する必要が無く、かつ、遊技盤のスペースを有効に活用できる遊技機を提供することを目的とする。
【課題を解決するための手段】
【０００６】
本発明の遊技機は、
本体部と、
前記本体部の正面側に取り付けられる遊技盤と、
前記遊技盤を前記本体部に固定する遊技盤固定手段と、
を有する遊技機であって、
前記遊技盤固定手段は、前記遊技盤の正面側に当接する当接部材と、前記当接部材を前記本体部に固定する固定部材とを備え、
前記当接部材は、正面側から見たとき、前記当接部材の外周から内側に入り込む凹部、及び／又は、孔部を有しており、
前記凹部及び／又は孔部において正面側から前記遊技盤が視認可能であることを特徴とする遊技機を要旨とする。
【０００７】
本発明の遊技機では、当接部材に、遊技盤を正面側から視認可能な凹部、孔部、あるいはその両方を有するので、遊技盤のうち、それらの部分に対応する部分を、許諾証を貼付する許諾証貼付領域とすれば、当接部材で許諾証を上から覆っても、遊技機の正面側から、許諾証を読み取ることができる。そのため、遊技盤において、当接部材が当接する領域と、許諾証を貼付する領域とを同一の領域とすることができ、遊技盤のスペースを有効に利用することができる。
【０００８】
本発明の遊技機では、上記のように、遊技盤のスペースを無駄にすることなく、遊技盤に許諾証を貼付できるので、遊技盤以外の部材に許諾証を貼付する必要がない。そのため、遊技盤を交換しても、遊技盤以外の部材を交換する必要が無く、引き続き使用することができ、経済的である。
【０００９】
前記凹部及び／又は孔部に、透明素材（例えば、透明樹脂、ガラス等）から成る透明部材を取り付け、その透明部材のうち、正面側から見たとき、許諾証に記載された許諾番号に対応する部分と重なる部分が、レンズ体であることが好ましい。この場合、透明部材を通して許諾証を見ると、許諾番号が拡大して表示されるので、許諾番号の読み取りが一層容易になる。
【００１０】
前記当接部材の外周から内側に入り込む凹部を備える当接部材の形状（正面側から見た形状）としては、例えば、Ｕ字型、逆Ｕ字型、Ｈ字型、及びそれらを正面側から見て時計方向又は反時計方向に９０度回転させた形状等が挙げられる。
【００１１】
また、本発明の遊技機は、
本体部と、前記本体部の正面側に取り付けられる遊技盤と、前記遊技盤を前記本体部に固定する遊技盤固定手段と、を有する遊技機であって、前記遊技盤固定手段は、前記遊技盤の正面側に当接する当接部材と、前記当接部材を前記本体部に固定する固定部材とを備え、前記当接部材は、少なくともその一部に、前記遊技盤を視認可能な視認領域を有することを特徴とする遊技機を要旨とする。
【００１２】
本発明の遊技機では、当接部材に、遊技盤を視認可能な視認領域を有するので、遊技盤のうち、その視認領域に対応する部分を、許諾証を貼付する許諾証貼付領域とすれば、当接部材で許諾証を上から覆っても、遊技機の正面側から、許諾証を読み取ることができる。そのため、遊技盤において、当接部材が当接する領域と、許諾証を貼付する領域とを同一の領域とすることができ、遊技盤のスペースを有効に利用することができる。
【００１３】
本発明の遊技機では、上記のように、遊技盤のスペースを無駄にすることなく、遊技盤に許諾証を貼付できるので、遊技盤以外の部材に許諾証を貼付する必要がない。そのため、遊技盤を交換しても、遊技盤以外の部材を交換する必要が無く、引き続き使用することができ、経済的である。
【００１４】
前記視認領域は、透明素材（例えば、透明樹脂、ガラス等）から成る部材であることが好まく、特に、視認領域のうち、遊技盤に貼付された前記許諾証と当接したとき、前記許諾証に記載された許諾番号に対応する部分が、レンズ体であることが好ましい。この場合、視認領域を通して許諾証を見ると、許諾番号が拡大して表示されるので、許諾番号の読み取りが一層容易になる。また、視認領域は、例えば、当接部材の一部を切り欠いた領域であってもよい。
【００１５】
前記遊技盤２５は、例えば、図２〜４に示すように、切り欠き部３５を有し、前記固定部材４３は、前記切り欠き部３５において、前記当接部材４９を前記本体部２３に固定することが好ましい。特に、前記切り欠き部３５は、前記遊技盤２５の下端２５ａから鉛直方向に延びる溝状のものであるとともに、前記固定部材４３は、前記切り欠き部３５を通して前記遊技盤２５の正面側に突出するように、前記本体部２３の正面側に形成された堤状の部材であることが好ましい。こうすることにより、遊技盤２５を本体部２３に確実に固定することができる。
【００１６】
前記当接部材４９は、図４に示すように、前記固定部材４３に対し、回動可能に取り付けられていることが好ましい。こうすることにより、当接部材４９は、固定部材４３から分離することがないので、紛失してしまうことがない。
【発明を実施するための最良の形態】
【００１７】
１．第１の実施の形態
（ａ）パチンコ機の全体構成を図１に基づいて説明する。図１は、装飾扉２７を開放した状態でのパチンコ機７の斜視図である。
【００１８】
パチンコ機７は、図１に示すように、当該パチンコ機７の外枠２１と、開閉自在に外枠２１に取り付けられた内枠（本体部）２３とを備えている。そして、内枠２３の正面側には、遊技者に遊技を提供する遊技盤２５が取り付けられている。遊技盤２５は、その右下に位置する当接部材４９等、及び上方に位置する係止部材５５、５７により内枠２３に固定されるが、その詳細は後述する。
【００１９】
また、内枠２３には、内枠２３の左方に鉛直に設けられた回動軸（図示略）を介して、装飾扉２７が取り付けられている。装飾扉２７は、上記回動軸を中心として横開きに回動し、遊技盤２５を覆う位置と、図１に示すように遊技盤２５を開放する位置とをとることができる。
【００２０】
さらに、パチンコ機７は、遊技盤２５上に遊技球を発射するためのハンドル２９と、遊技盤２５における遊技の結果として当該パチンコ機７から賞品として払い出される遊技球を貯留する上受け皿３１と、上受け皿３１から排出される遊技球を受ける下受け皿３３と、を備えている。
（ｂ）次に、遊技盤２５を内枠２３に取り付けるとき、遊技盤２５の右下端部を内枠２３に固定するための構成を、図１及び図２〜４に基づいて説明する。図２は、遊技盤２５の右下端部付近の正面図、図３は遊技盤２５を内枠２３に取り付けたときにおける遊技盤２５の右下端部付近の正面図、図４は、図３に示すＡ−Ａ断面における断面図である。
【００２１】
遊技盤２５の右下端部付近には、遊技盤２５の下端２５ａから鉛直方向に延びる溝状の切り欠き部３５が形成されている。また、遊技盤２５の右端面２５ｂには、切り欠き部３７が形成されている。これらの切り欠き部３５、３７は、遊技盤２５の正面側から背面側まで貫通している。また、切り欠き部３５と切り欠き部３７との間には、許諾証３９を貼付する領域である許諾証領域４１が設けられている。
【００２２】
一方、内枠２３において、遊技盤２５を内枠２３に取り付けたとき、切り欠き部３５に対応する位置には、図３及び図４に示すように、正面側に突出する堤状の固定部材４３が設けられている。また、切り欠き部３７に対応する位置には、ボルト４５が、正面側に向けて立設されている。従って、遊技盤２５を内枠２３に取り付けたとき、切り欠き部３５には固定部材４３が差し込まれ、切り欠き部３７にはボルト４５が差し込まれる。
【００２３】
上記固定部材４３は、その正面側の端部４３ａにおいて、回動軸４７を介し、板状の当接部材４９を回動自在に保持している。当接部材４９は、その主平面が遊技盤２５と平行となる位置（図４におけるＸの位置）に回動したときは、遊技盤２５の正面側に当接し、遊技盤２５を内枠２３に固定する。また、当接部材４９は、その主平面と遊技盤２５との成す角度が直角となる位置（図４におけるＹの位置）に回動したときは、遊技盤２５から離れ、遊技盤２５の内枠２３への固定を解除する。
【００２４】
上記当接部材４９は、その中央に、正面側から背面側まで貫通する切り欠き部（孔部）５１を備えており、そこには、透明樹脂板５２がはめ込まれている。この透明樹脂板５２は、当接部材４９が図４におけるＸの位置にあるとき、遊技盤２５の許諾証領域４１を全て含むように形成されている。そのため、当接部材４９が図４におけるＸの位置にあり、許諾証領域４１を覆うときでも、透明樹脂板５２を通して、許諾証３９を正面側から視認することができる。また、図３に示すように、透明樹脂板５２のうち、許諾証３９の許諾番号が記載された領域に対応する部分５２ａはレンズ体に構成されている。そのため、正面側から、透明樹脂板５２を通して許諾証３９を見ると、許諾番号が拡大して表示される。
【００２５】
また、当接部材４９は、回動軸４７とは反対側の端面付近に、ボルト穴５３を備えている。上述したボルト４５は、当接部材４９が図４におけるＸの位置にあるとき、遊技盤２５の切り欠き部３７及び当接部材４９のボルト穴５３を通り、当接部材４９の正面側に突出する。従って、ボルト４５の正面側からナット５４を締め込むことにより、当接部材４９を、図４におけるＸの位置に固定することができる。
（ｃ）次に、遊技盤２５を内枠２３に取り付けるとき、遊技盤２５の右下端部を内枠２３に固定する方法を、図２〜図４に基づいて説明する。
【００２６】
まず、当接部材４９の位置を、図４におけるＹの位置とし、当接部材４９及び固定部材４３が一直線上に並ぶようにする。また、ナット５４を外しておく。次に、遊技盤２５を正面側から内枠２３に近づけてゆき、切り欠き部３５に、当接部材４９及び固定部材４３を通すとともに、切り欠き部３７にボルト４５を通す。そして、遊技盤２５の背面側が内枠２３の正面側に当接するまで、遊技盤２５を押し込む。
【００２７】
次に、当接部材４９を、図４におけるＸの位置に回動し、遊技盤２５の正面側に当接させる。このとき、ボルト４５の先端は、当接部材４９のボルト穴５３を通り、正面側に突出する。最後に、ボルト４５の先端にナット５４を締め込むことにより、当接部材４９を、図４におけるＸの位置に固定する。
（ｄ）次に、遊技盤２５を内枠２３に取り付けるとき、遊技盤２５の上端付近を内枠２３に固定するための構成、及び固定方法を、図１に基づいて説明する。
【００２８】
内枠２３の正面側上方には、係止部材５５、５７が設けられている。これら係止部材５５、５７は、内枠２３から正面方向に延びる軸（図示略）の先端に、楕円型の係止プレート５９、６１を回動自在に備えたものである。一方、遊技盤２５には、係止プレート５９、６１に対応する位置に、縦長の長穴６３、６５が設けられている。遊技盤２５を内枠２３に取り付けるとき、長径を縦向きにした係止プレート５９、６１を長穴６３、６５に通し、次に、係止プレート５９、６１を横向きにすることで、遊技盤２５の上方を内枠２３に対し係止することができる。
（ｅ）次に、パチンコ機７が奏する効果を説明する。
【００２９】
(i)許諾証３９は、遊技盤２５に貼付され、遊技盤２５以外の部材（例えば、当接部材
４９等）には貼付されない。そのため、遊技盤２５を交換しても、それ以外の部材を交換する必要が無く、引き続き使用することができ、経済的である。
【００３０】
(ii)当接部材４９は、その一部が透明樹脂板５２により構成されているので、当接部材４９で許諾証３９を上から覆ったままで、パチンコ機７の正面側から、許諾証３９を読み取ることができる。そのため、遊技盤２５において、当接部材４９が当接する領域と、許諾証３９を貼付する領域とを同一の領域とすることができ、遊技盤２５のスペースを有効に利用することができる。また、許諾証３９を読むために、わざわざ当接部材４９を取り外す必要がない。
【００３１】
(iii) 上述したように、当接部材４９に取り付けられた透明樹脂板５２のうち、許諾証３９の許諾番号が記載された領域に対応する部分５２ａはレンズ体に構成されているため、正面側から、透明樹脂板５２を通して許諾証３９を見ると、許諾番号が拡大して表示される。そのため、許諾番号の読み取りが一層容易である。
【００３２】
(iv)遊技盤２５を内枠２３に取り付けるとき、内枠２３に立設された固定部材４３を、遊技盤２５の切り欠き部３７に差し込むとともに、当接部材４９により遊技盤２５を正面側から押さえることにより、遊技盤２５を内枠２３に確実に固定することができる。
【００３３】
(V)当接部材４９は、固定部材４３に開閉軸支されているので、固定部材４３から分離
することがなく、紛失してしまうことがない。
２．第２の実施の形態
本第２の実施の形態におけるパチンコ機７の構成は、基本的には前記第１の実施の形態と同じであるが、当接部材４９の形状において相違する。
【００３４】
当接部材４９は、図５に示すように、正面側から見たとき、その上辺４９ａにおける中央部から、内側（下側）に入り込む凹部６７を備えており、全体として、略Ｕ字型の形状を有している。凹部６７は、当接部材４９を正面側から背面側まで貫通しており、そこには、透明樹脂板５２がはめ込まれている。この透明樹脂板５２は、当接部材４９が図４におけるＸの位置にあるとき、遊技盤２５の許諾証領域４１を全て含むように形成されている。そのため、当接部材４９が図４におけるＸの位置にあり、許諾証領域４１を覆うときでも、透明樹脂板５２を通して、許諾証３９を正面側から視認することができる。また、図５に示すように、透明樹脂板５２のうち、許諾証３９の許諾番号が記載された領域に対応する部分５２ａはレンズ体に構成されている。そのため、正面側から、透明樹脂板５２を通して許諾証３９を見ると、許諾番号が拡大して表示される。
【００３５】
本第２の実施の形態におけるパチンコ機７は、前記第１の実施の形態と同様の効果を奏することができる。
３．第３の実施の形態
本第３の実施の形態におけるパチンコ機７の構成は、基本的には前記第１の実施の形態と同じであるが、当接部材４９の形状において相違する。
【００３６】
当接部材４９は、図６に示すように、正面側から見たとき、その下辺４９ｂにおける中央部から、内側（上側）に入り込む凹部６９を備えており、全体として、逆Ｕ字型の形状を有している。凹部６９は、当接部材４９を正面側から背面側まで貫通しており、そこには、透明樹脂板５２がはめ込まれている。この透明樹脂板５２は、当接部材４９が図４におけるＸの位置にあるとき、遊技盤２５の許諾証領域４１を全て含むように形成されている。そのため、当接部材４９が図４におけるＸの位置にあり、許諾証領域４１を覆うときでも、透明樹脂板５２を通して、許諾証３９を正面側から視認することができる。また、図６に示すように、透明樹脂板５２のうち、許諾証３９の許諾番号が記載された領域に対応する部分５２ａはレンズ体に構成されている。そのため、正面側から、透明樹脂板５２を通して許諾証３９を見ると、許諾番号が拡大して表示される。
【００３７】
本第３の実施の形態におけるパチンコ機７は、前記第１の実施の形態と同様の効果を奏することができる。
４．第４の実施の形態
本第４の実施の形態におけるパチンコ機７の構成は、基本的には前記第１の実施の形態と同じであるが、当接部材４９の形状において相違する。
【００３８】
当接部材４９は、図７に示すように、正面側から見たとき、その上辺４９ａにおける中央部から、内側（下側）に入り込む凹部７１と、その下辺４９ｂにおける中央部から、内側（上側）に入り込む凹部７３を備えており、全体として、略Ｈ字型の形状を有している。凹部７１及び凹部７３は、当接部材４９を正面側から背面側まで貫通しており、凹部７３には、透明樹脂板５２がはめ込まれている。この透明樹脂板５２は、当接部材４９が図４におけるＸの位置にあるとき、遊技盤２５の許諾証領域４１のうち、許諾証３９の許諾番号が記載された領域を全て含むように形成されている。そのため、当接部材４９が図４におけるＸの位置にあり、許諾証領域４１を覆うときでも、透明樹脂板５２を通して、許諾証３９のうち、許諾番号が記載された領域を正面側から視認することができる。また、図７に示すように、透明樹脂板５２のうち、許諾証３９の許諾番号が記載された領域に対応する部分５２ａはレンズ体に構成されている。そのため、正面側から、透明樹脂板５２を通して許諾証３９を見ると、許諾番号が拡大して表示される。
【００３９】
本第４の実施の形態におけるパチンコ機７は、前記第１の実施の形態と同様の効果を奏することができる。
尚、本発明は前記実施の形態になんら限定されるものではなく、本発明を逸脱しない範囲において種々の態様で実施しうることはいうまでもない。
【００４０】
例えば、当接部材４９の切り欠き部５１、凹部６７、６９、７３は、透明樹脂板５２を取り付けず、正面側と背面側を連通する孔又は凹部としてもよい。
また、透明樹脂板５２は、当接部材４９と面一に取り付けるのではなく、当接部材４９の正面側に取り付け、当接部材４９を遊技盤２５に当接させたときでも、透明樹脂板５２と遊技盤２５との間に隙間が生じるようにしてもよい。
【００４１】
また、遊技盤２５の端部のうち、右下の端部以外も、当接部材４９等により、内枠２３に対し固定してもよい。
また、当接部材４９は、その全体が透明な素材から成るものであってもよい。
【図面の簡単な説明】
【００４２】
【図１】装飾扉２７を開放した状態におけるパチンコ機７の斜視図である。
【図２】遊技盤２５の右下の端部付近を表す正面図である。
【図３】遊技盤２５を内枠２３に固定した状態を表す正面図である。
【図４】図３におけるＡ−Ａ断面での断面図である。
【図５】遊技盤２５を内枠２３に固定した状態を表す正面図である。
【図６】遊技盤２５を内枠２３に固定した状態を表す正面図である。
【図７】遊技盤２５を内枠２３に固定した状態を表す正面図である。
【符号の説明】
【００４３】
７・・・パチンコ機    ２１・・・外枠    ２３・・・内枠    ２５・・・遊技盤
２７・・・装飾扉    ２９・・・ハンドル    ３１・・・上受け皿
３３・・・下受け皿    ３５、３７・・・切り欠き部    ３９・・・許諾証
４１・・・許諾証領域    ４３・・・固定部材    ４５・・・ボルト
４７・・・回動軸    ４９・・・当接部材    ４９ａ・・・上辺    ４９ｂ・・・下辺
５１・・・切り欠き部    ５２・・・透明樹脂板    ５３・・・ボルト穴
５４・・・ナット    ５５、５７・・・係止部材    ５９、６１・・・係止プレート    ６３、６５・・・長穴    ６７、６９、７１、７３・・・凹部
【図１】
2008132304.tif 000003
【図２】
2008132304.tif 000004
【図３】
2008132304.tif 000005
【図４】
2008132304.tif 000006
【図５】
2008132304.tif 000007
【図６】
2008132304.tif 000008
【図７】
2008132304.tif 000009